(57)【要約】【課題】  光配線モジュールの全体を薄く構成できるとともに、光ファイバーの接続方式や芯数に合わせて仕様変更が容易な光線路器具を提供する。【解決手段】  光線路器具１は光ファイバーＦをアダプタ２０に接続して配線する薄箱形の光配線モジュール２を備えている。このモジュール２は光ファイバーＦの余長Ｆａを収納するケース３と、アダプタ２０を保持するホルダ４とに配線方向へ二分割されている。ケース３およびホルダ４には、両者を分離可能に接続する接続部１１，１７が設けられている。ケース３は別の光配線モジュールのケースを分解可能に組み合わせる組合せ部１３を備え、組合せ部１３に別のモジュールを開閉可能に枢着するヒンジ１５が設けられている。【選択図】        図１
2008209594.tif 000002
【特許請求の範囲】
【請求項１】
光ファイバーをアダプタに接続して配線する薄箱形の光配線モジュールを備え、該モジュールが光ファイバーの余長を収納するケースとアダプタを装着するホルダとに光ファイバーの配線方向へ分割され、前記ケースおよびホルダが両者を分離可能に接続する接続部を備えたことを特徴とする光線路器具。
【請求項２】
前記ケースが別の光配線モジュールのケースをモジュールの厚さ方向に分解可能に組み合わせる組合せ部を備えたことを特徴とする請求項１記載の光線路器具。
【請求項３】
前記組合せ部が別の光配線モジュールを光ファイバーの配線方向に延びる軸線周りで開閉可能に枢着するヒンジを備えたことを特徴とする請求項２記載の光線路器具。
【発明の詳細な説明】
【技術分野】
【０００１】
本発明は、光ファイバーの接続部や余長を収納して保護する光線路器具に関する。
【背景技術】
【０００２】
従来、この種の光線路器具を光成端箱の内側に複数配列し、光ファイバーをコネクタ接続可能に成端する技術が知られている。例えば、特許文献１には図８に示すような光線路器具５１が記載されている。この光線路器具５１は薄箱形の光配線モジュール５２を備え、モジュール５２の内部が仕切壁５３で二室に区画されている。一方の収納室５５には光ファイバーＦの余長Ｆａと融着接続部Ｆｂとが収められ、他方の収納室５６の端部に複数のアダプタ５８が装着されている。そして、光ファイバーＦの分岐端をコネクタ５９でアダプタ５８に接続して成端し、アダプタ５８に外部の光ファイバー（図示略）をコネクタ接続することで、内外の光ファイバーを切替可能に配線できるようになっている。
【特許文献１】特開２００２−５５２３８号公報
【発明の開示】
【発明が解決しようとする課題】
【０００３】
ところが、従来の光線路器具５１によると、二つの収納室５５，５６が光配線モジュール５２の厚さ方向に区画されているので、モジュール５２全体の厚みが大きくなり、成端箱に収容可能な器具数が制限されるという問題点があった。また、二つの収納室５５，５６が不離一体に設けられているので、例えば、光ファイバーＦの接続方式や芯数が変わると、余長収納側の収納室５５の構造に変化がなくても、別のアダプタを使用するためにモジュール５２の全体を取り替える必要があり、多種類のモジュール５２を用意しなければならないという無駄もあった。
【０００４】
本発明の目的は、上記課題を解決し、光配線モジュールの全体を薄く構成できるとともに、光ファイバーの接続方式や芯数に合わせて仕様変更が容易な光線路器具を提供することにある。
【課題を解決するための手段】
【０００５】
上記課題を解決するために、本発明の光線路器具は、光ファイバーをアダプタに接続して配線する薄箱形の光配線モジュールを備えている。このモジュールは光ファイバーの余長を収納するケースと、アダプタを装着するホルダとに光ファイバーの配線方向へ分割されている。そして、ケースおよびホルダに、両者を分離可能に接続する接続部が設けられている。
【０００６】
また、本発明の光線路器具は、ケースが別の光配線モジュールのケースをモジュールの厚さ方向に分解可能に組み合わせる組合せ部を備えていることを特徴とする。組合せ部には、別の光配線モジュールを光ファイバーの配線方向に延びる軸線周りで開閉可能に枢着するヒンジが設けられている。
【発明の効果】
【０００７】
本発明の光線路器具によれば、ケースとホルダが光ファイバーの配線方向に分割されているので、光ファイバーの余長とアダプタを同一平面内に配列し、光配線モジュールの全体を薄く構成できる。また、ケースとホルダが分離可能に接続されているため、光ファイバーの接続方式や芯数が変わった場合は、ホルダのみを取り替えることで、光配線モジュールを容易に仕様変更することができる。
【０００８】
さらに、ケースに設けた組合せ部に別の光配線モジュールのケースを組み合せることで、例えば、４芯管理用のモジュールを二つ組み合わせて８芯管理用モジュールとして使用できるなど、光ファイバーの接続方式や芯数に合わせて光線路器具を多様に組み替えることができる。この場合、複数のモジュールが組合せ部のヒンジで開閉可能に枢着されているので、配線替えや点検等の作業に際し、各モジュールを切り離すことも開放することもでき、作業性が向上する。
【発明を実施するための最良の形態】
【０００９】
以下、本発明の実施形態を図面に基づいて説明する。図１は４芯管理用光線路器具において光配線モジュールをケースとホルダの接続状態で示し、図１（ａ）はモジュールの平面図、図１（ｂ）は図１（ａ）のｂ−ｂ線断面図、図１（ｃ）は図１（ａ）のｃ−ｃ線端面図である。図２は図１の光配線モジュールをケースとホルダの分離状態で示し、図２（ａ）はモジュールの平面図、図２（ｂ）は図２（ａ）のｂ−ｂ線断面図である。
【００１０】
この光線路器具１は４本の光ファイバーＦを配線する薄箱形の光配線モジュール２を備えている。光配線モジュール２は、光ファイバーＦの配線方向へ二分割され、光成端箱（図示略）に取り付けられる樹脂製のケース３と、光成端箱の前面（配線作業面）側に向く樹脂製のホルダ４とから構成されている。光成端箱は内側に多数のモジュール２を縦方向または横方向に並べて収納し、モジュール２ごとに４本の光ファイバーＦをコネクタ接続可能に成端できるようになっている。
【００１１】
ケース３の基端面には取付部６が突設され、取付部６にモジュール２を光成端箱に取り付けるブラケット７（詳しくは図４参照）が装着されている。ケース３の内側には、光ファイバーＦの余長Ｆａを湾曲させて収納する収納部８と、余長Ｆａを押える押圧片９と、光ファイバーＦの融着接続部Ｆｂを保持する保持部１０とが形成されている。ケース３の先端部中央にはホルダ４を分離可能に接続するアーチ状の接続部１１が設けられ、接続部１１の左右両側にホルダ４を係止する係止部１２が形成されている。
【００１２】
ケース３の左右両側面には厚さ方向に一対の組合せ部１３が長手方向に二組設けられ、これらの組合せ部１３によって隣接する別の光配線モジュール２のケース３が厚さ方向に分解可能に組み合わせられる（図５参照）。各組合せ部１３はフック１４とヒンジ１５とを一体的に備え（図１ｂ参照）、一方のケース３のフック１４を他方のケース３のヒンジ１５に掛止することよって、両方のモジュール２が光ファイバーＦの配線方向（ケース３の長手方向）に延びる軸線の周りで開閉可能に枢着される。
【００１３】
ホルダ４のケース側端部には爪付の弾性接続片１７と左右一対の突片１８とが設けられ、突片１８をケース３の係止部１２に嵌入し、弾性接続片１７をケース３の接続部１１に掛止することで、ホルダ４がケース３に分離可能に接続される。ホルダ４の反ケース側端面（光成端箱の前面側の端面）には装着部１９が形成され、装着部１９に二つのアダプタ２０が装着されている。そして、各アダプタ２０の二つの内向き差込口２０ａに内部光ファイバーＦのコネクタＦｃを接続し、二つの外向き差込口２０ｂに外部光ファイバーのコネクタＦｄを接続するようになっている。
【００１４】
上記構成の光線路器具１によれば、ケース３とホルダ４を光ファイバーＦの配線方向に接続し、光ファイバーＦの余長Ｆａとアダプタ２０を同一平面内に配列できる。このため、光配線モジュール２の全体を従来よりも薄く構成し、限られた容積の光成端箱内により多数のモジュール２を収納できる。また、光ファイバーＦの接続方式や芯数が変わった場合には、ケース３に別のホルダを接続したり、複数のモジュール２を組み合わせたりすることで、この光線路器具１を別の仕様に容易に変更することができる。以下に、光線路器具の変更例について説明する。
【００１５】
図３は図１の光配線モジュール２を１：４のカプラモジュールに組み替えた４芯分光管理用光線路器具を示す。図３（ａ）はカプラモジュールの平面図、図３（ｂ）は図３（ａ）のｂ−ｂ線端面図である。
【００１６】
この光線路器具２１では、ケース３に幅広のホルダ２４を接続部１１，１７にて接続することで、分光用のカプラモジュール２２が構成されている。ホルダ２４には三つのアダプタ２５，２６，２７が装着され、一本の光ファイバーＦがアダプタ２５を介してケース３内に入線されている。そして、光ファイバーＦの余長Ｆａが収納部８に湾曲収納され、途中で保持部１０に保持した融着接続部（カプラ）Ｆｂにて４本に分岐され、各分岐端がアダプタ２６，２７を介して外部に出線されている。従って、図１と同じケース３に別のホルダ２４を接続するだけで、１：４の分光管理用光線路器具２１を簡単に構成することができる。
【００１７】
図４、図５は図１の光配線モジュール２を二つ組み合わせた８芯管理用光線路器具を示す。図４（ａ）はこの光線路器具の断面図、図４（ｂ）は図４（ａ）のｂ−ｂ線端面図、図５は図４（ａ）のｃ−ｃ線から見た側面図である。
【００１８】
この光線路器具３１では、二つのモジュール２がケース３の組合せ部１３で分解可能に組み合わされている。光ファイバーＦはケース３の基端面側から入線され（図１参照）、余長Ｆａが収納部８に巻き回され、先端が４つのアダプタ２０を介して外部に出線されている。従って、図１と同じ４芯管理用のモジュール２を使用して、８芯管理用光線路器具３１を簡単に構成できる。また、二つのモジュール２が組合せ部１３のフック１４とヒンジ１５で分解かつ開閉可能に結合されているので、配線作業に際し、両方のモジュール２を切り離すことも開放することも至って容易である（図５参照）。
【００１９】
図６、図７は図１の光配線モジュール２を１：８のカプラモジュールに組み替えた８芯分光管理用光線路器具を示す。図６は一つのカプラモジュールの平面図、図７（ａ）は図６のモジュールを二つ組み合わせた光線路器具の断面図、図７（ｂ）は図７（ａ）のｂ−ｂ線端面図である。
【００２０】
この光線路器具４１では、ケース３に幅広のホルダ４４を接続部１１，１７にて接続することで、分光用のカプラモジュール４２が構成されている。二つのカプラモジュール４２はケース３の組合せ部１３で分解可能に組み合わされ、二つのホルダ４４の間に五つのアダプタ４５〜４９が装着されている。そして、光ファイバーＦがアダプタ４５を介してケース３内に入線され、余長Ｆａが収納部８に湾曲収納され、融着接続部Ｆｂにて８本に分岐され、各分岐端がアダプタ４６〜４９を介して外部に出線されている。従って、図１と同じケース３に別のホルダ４４を接続し、二つのケース３を組み合わせるだけで、１：８の分光管理用光線路器具４１を簡単に構成することができる。
【００２１】
なお、通常一つのネットワークでは、光ファイバーＦを４芯または８芯ごとに配線しているため、この実施形態の４芯管理用モジュール２は汎用光配線システムの単位セルとして好ましく使用できる。ただし、本発明は一モジュールあたりの芯数を限定するものではなく、例えば、８芯モジュールを２段、３段またはそれ以上に組み合わせ、多芯管理に適した光線路器具を構成することもできる。その他、本発明の趣旨を逸脱しない範囲で各部の形状や構成を適宜に変更して実施することも可能である。
【図面の簡単な説明】
【００２２】
【図１】本発明の一実施形態を示す４芯管理用光線路器具の構成図である。
【図２】図１の光線路器具の分解図である。
【図３】本発明の変更例を示す４芯分光管理用光線路器具の構成図である。
【図４】本発明の変更例を示す８芯管理用光線路器具の構成図である。
【図５】図４の光線路器具の側面図である。
【図６】本発明の変更例を示す８芯分光管理用光線路器具の構成図である。
【図７】図６の光線路器具の断面および端面図である。
【図８】従来の光線路器具を示す断面図である。
【符号の説明】
【００２３】
１    ４芯管理用光線路器具
２    光配線モジュール
３    ケース
４    ホルダ
８    収納部
１１    接続部
１３    組合せ部
１４    フック
１５    ヒンジ
１７    弾性接続片
２０    アダプタ
２１    ４芯分光管理用光線路器具
３１    ８芯管理用光線路器具
４１    ８芯分光管理用光線路器具
【図１】
2008209594.tif 000003
【図２】
2008209594.tif 000004
【図３】
2008209594.tif 000005
【図４】
2008209594.tif 000006
【図５】
2008209594.tif 000007
【図６】
2008209594.tif 000008
【図７】
2008209594.tif 000009
【図８】
2008209594.tif 000010